(57)【要約】      （修正有）【課題】使用時、衣服が便器に触れず不快感が無いとともに、紙の歩留まりも良く、製造が簡単な使い勝手の良い便座シートを提供する。【解決手段】便座に載置されるシート状の便座載置部２の前端に少なくとも便座の前部と便器の前突出部を覆う前垂れ部が設けられた便座シート１であって、便座シート１は、便座開口部と対面する位置に切り込み部５を有するとともに、便座シート１の長手方向の中心線４を通る頂点６を便座シート１の長手方向の両端縁７の最前方位置８よりも前方に突出させて形成された前端縁９を有する便座載置部２と、前端縁９に沿って取り付けられた前垂れ部とより構成した。【選択図】図１
2014023816.tif 000002
【特許請求の範囲】
【請求項１】
便座に載置されるシート状の便座載置部の前端に少なくとも便座の前部と便器の前突出部を覆う前垂れ部が設けられた便座シートであって、前記便座シートは、便座開口部と対面する位置に切り込み部を有するとともに、前記便座シートの長手方向の中心線を通る頂点を前記便座シートの長手方向の両端縁の最前方位置よりも前方に突出させて形成された前端縁を有する便座載置部と、前記前端縁に沿って取り付けられて便座載置部の裏面側に折り返した前垂れ部とよりなることを特徴とする便座シート。
【請求項２】
前記便座シートの長手方向の中心線を通る頂点位置を前記便座シートの長手方向の両端縁の最前方位置よりも前方に突出させて便座シートの裏側に山折りしてＶ字形の前端縁を形成した請求項1記載の便座シート。
【請求項３】
前端縁は、便座の形状に合うように、先端が台形形状に形成された請求項1に記載の便座シート。
【請求項４】
前端縁は、便座シートの前端縁における台形形状の両頂点と対面する位置で便座シートの長手方向の両端縁と略平行に所定長さのスリットを形成し、前記両スリットの終端位置で便座シートの裏側に山折りするとともに、両スリットの終端位置を前記便座シートの長手方向の両端縁の最前方位置よりも前方に突出させて便座シートの裏側に山折りして台形形状の前端縁を形成した請求項３記載の便座シート。  
【発明の詳細な説明】
【技術分野】
【０００１】
本発明は、洋式の便座に使用する便座シートに関するものである。        
【背景技術】
【０００２】
従来の便座シートは、特許文献１に示すように、使用時に便座上に載置されるシート状のものが一般的である。しかしながら、このものにあっては、便座の前部と便器の前突出部を覆う前垂れ部が設けられておらず、使用時に衣服が便座と便器との隙間に入ったりして便器に触れ、不快感を生じるという問題点があった。
【０００３】
この問題点を解消するために、提案された特許文献２に示すものは、Ｙ字形に形成されていて、Ｙ字のＶ部分を便座に載置し、Ｉ部分を便器の前面部に垂らすようにしたものであるが、Ｙ字形に紙を裁断する必要があり、紙の歩留まりが悪いという問題点と、垂下部は単に垂らしたものであるため、便座シートは不安定であり、便座からずれたり、ずり落ちてしまうという問題点があり、このものにあっても、使用時に衣服が便座と便器との隙間に入ったりして便器に触れ、不快感を生じるという問題点を解消できなかった。
【０００４】
この問題点を解消するために、提案された特許文献３に示すものは、便座の表面形状に対応した形状のカバー部と便器の前面部と両側面部とで構成されているが、紙の歩留まりが悪く製造しにくいという問題点と、便座及び便器の全体を被せるものであるため、被せるのに手間がかかり、使い勝手が悪いという問題点があった。
【０００５】
この問題点を解消するために、提案された特許文献４に示すものは、便座シートの長手方向の中心線を通り、便座載置部及び前垂れ部を谷折りする谷折り目を有し、前記前垂れ部は、前記谷折り目を通る中央側の第一の折り返し部を便座シートの両側の第二の折り返し部よりも前方方向に突出させて、便座シートの裏面側に折り返す山折りにより形成しているが、前記谷折り目を通る中央側の第一の折り返し部を便座シートの両側の第二の折り返し部よりも前方方向に突出させて、便座シートの裏面側に折り返す山折りするには、まず、便座シートの長手方向の中心線を通る谷折りをし、次に、前記谷折り目を通る中央側の第一の折り返し部を便座シートの両側の第二の折り返し部よりも前方方向に突出させて便座載置部の上面側に谷折りし、次に、前記谷折り目を通る中央側の第一の折り返し部を便座シートの両側の第二の折り返し部よりも前方方向に突出させて便座載置部の裏面側に山折りし、これらの谷折りの折り目と山折りの折り目とを利用して、前記谷折り目を通る中央側の第一の折り返し部を便座シートの両側の第二の折り返し部よりも前方方向に突出させて、便座シートの裏面側に折り返す山折りをしなければならず、手で折るにも上手くできないとともに、自動の機械装置では複雑な動作が要求され、製造が困難であるという問題点があった。
【先行技術文献】
【特許文献】
【０００６】
【特許文献１】特開２００３−３１９８９１号公報
【特許文献２】特開２００３−２３５７６２号公報
【特許文献３】特開２００６−２８９０２９号公報
【特許文献４】特許第４８５８７３７号公報
【発明の概要】
【発明が解決しようとする課題】
【０００７】
本発明が解決しようとする課題は、使用時、衣服が便器に触れず不快感が無いとともに、紙の歩留まりも良く、製造が簡単な使い勝手の良い便座シートを提供することにある。 
【課題を解決するための手段】
【０００８】
本発明は、便座に載置されるシート状の便座載置部の前端に少なくとも便座の前部と便器の前突出部を覆う前垂れ部が設けられた便座シートであって、前記便座シートは、便座開口部と対面する位置に切り込み部を有するとともに、前記便座シートの長手方向の中心線を通る頂点を前記便座シートの長手方向の両端縁の最前方位置よりも前方に突出させて形成された前端縁を有する便座載置部と、前記前端縁に沿って取り付けられて便座載置部の裏面側に折り返した前垂れ部とにより形成し、上記課題を解決したものである。
【発明の効果】
【０００９】
本発明の便座シートは、便座に載置されるシート状の便座載置部の前端に少なくとも便座の前部と便器の前突出部を覆う前垂れ部が設けられた便座シートであって、前記便座シートは、便座開口部と対面する位置に切り込み部を有するとともに、前記便座シートの長手方向の中心線を通る頂点を前記便座シートの長手方向の両端縁の最前方位置よりも前方に突出させて形成された前端縁を有する便座載置部と、前記前端縁に沿って取り付けられて便座載置部の裏面側に折り返した前垂れ部とよりなることを特徴とするものであるから、使用時、衣服が便器に触れず不快感が無いとともに、紙の歩留まりも良いという効果があり、更に、便座載置部の裏面側に折り返した前垂れ部の自由端を把持して便座シートを拡げることにより、便座載置部の裏面側に折り返えされた前垂れ部が便座載置部から離れるとともに拡がるので、便座に容易に被せることができるという効果がある。更に、シート状の便座載置部の前端縁に前垂れ部を取り付けるという簡単な工程で便座シートができ、製造が簡単であるという効果がある。
【図面の簡単な説明】
【００１０】
【図１】本発明の第一実施例における便座シートの便座載置部の製作図。
【図２】本発明の第一実施例における便座シートの前垂れ部の正面図。
【図３】本発明の第一実施例における便座シートの製作図。
【図４】本発明の第一実施例における便座シートの側面図。
【図５】本発明の第一実施例における便座シートを洋式の便器に取り付けた状態を示す斜視図。
【図６】本発明の第二実施例における便座シートの製作図（１）。
【図７】本発明の第二実施例における便座シートの製作図（２）。
【図８】本発明の第二実施例における便座シートの前垂れ部の正面図で折り曲げ線を入れた図。
【図９】本発明の第二実施例における便座シートの前垂れ部を折り曲げた裏面図。
【図１０】本発明の第二実施例における便座シートの製作図（３）。
【図１１】本発明の第二実施例における便座シートを二つ折りした正面図。
【発明を実施するための形態】
【００１１】
以下、本発明の第一実施例の形態を図１〜図５に基づいて説明する。
【実施例】
【００１２】
便座シート１は、採便シートのような水溶性の長方形形状の厚手の紙、または一般に便座シートとして販売されているような薄手の紙でできており、便座に載置される便座載置部２と、便座載置部２の先端に少なくとも便座Ｂの前部と便器Ａの前突出部を覆う前垂れ部３が設けられている。便座シート１には、便座Ｂの開口部Ｃと対面する位置であって、便座シート１の長手方向の中心線４を通る位置に排出物を通過させるための切り込み部５が形成されている。  
【００１３】
便座シート１は、便座シート１の長手方向の中心線４を通る頂点６を便座シート１の長手方向の両端縁７の最前方位置８よりも前方に突出させて形成されたＶ字形の前端縁９を有する便座載置部２と、Ｖ字形の前端縁９に沿って取り付けられて便座載置部２の裏面側に折り返した前垂れ部３とにより構成されている。Ｖ字形の前端縁９を形成する方法として便座シートの端縁から折る方法と、図１に示すように、便座シートの端縁に切り込みを入れ、該切り込みの先端部から折る方法とが考えられるが、接着代を考えると後者の方が望ましい。
【００１４】
便座シート１は、便座シート１の長手方向の中心線４で谷折りされるとともに、携帯に便利なように、便座シート１の長手方向の中心線４と平行な線で更に折られ、この便座シート１の長手方向の中心線４と直交する複数の線上で折られてコンパクトに形成される。
【００１５】
Ｖ字形の前端縁９に沿って長方形形状の前垂れ部３を取り付け、便座載置部２の裏面側に前垂れ部３を折り返すと、便座シート１の中心線４よりも一部が三角形状に突出した三角形状部１０を有する前垂れ部３が形成される。便座シート１をコンパクトに折りたたむには三角形状部１０を前垂れ部３と重なるように折り畳めば良い。
【００１６】
便座シート１を使用するには、便座シート１の便座載置部２を便座シート１の長手方向の中心線４で谷折りされた状態まで拡げ、便座シート１に重ねられた前垂れ部３の自由端１１を把持して便座シート１を拡げると、谷折りされた便座載置部２は平面状となるとともに、前垂れ部３は便座シート１の中心線４よりも一部が三角形状に突出した三角形状部１０を有しているので、その三角形状部１０は便座シート１の頂点６を中心に前方に移動するとともに、前垂れ部３が便座載置部２の裏側から離れるとともに拡がるので、便座Ｂに容易に被せることができるようになり、前垂れ部で便座の前部と便器の前突出部を覆うことができるのである。
【００１７】
便座載置部２のＶ字形の前端縁９を形成する方法として、便座シート１の長手方向の中心線４を通る頂点６と便座シート１の長手方向の両端縁７とを結ぶ線１２上で便座シート１を折る方法と、便座シート１の長手方向の中心線４を通る頂点６と便座シート１の長手方向の両端縁７とを結ぶ線１２上で便座シート１を切断する方法とが考えられるが、実施例では、前者を採用することで前垂れ部３を取り付ける取付部１３を形成することができるので、製造し易くなる。
【００１８】
前垂れ部３は、便座シート１と同一材質の紙で形成されており、取付部１３に接着剤を用いて接着されている。前垂れ部３は、便座Ｂの前部と便器Ａの前突出部を覆う長さがあれば特に問題は無いが、衣服が便器に触れるのを嫌う使用者があれば、必要に応じて長くすれば良いものである。
【００１９】
便座載置部２のＶ字形の前端縁９を形成する方法として、便座シート１の長手方向の中心線４を通る頂点６と便座シート１の長手方向の両端縁７とを結ぶ線１２上で便座シート１を切断する方法を採用した場合は、前垂れ部３は、便座載置部２のＶ字形の前端縁９の近傍の上面又は下面に接着剤を用いて接着することになる。  
【００２０】
便座載置部２のＶ字形の前端縁９において、便座シート１の長手方向の中心線４を通る頂点６と便座シート１の長手方向の両端縁８との突出長さを変えることで前端縁９を便座Ｂの形状に合わせることができ、標準の便座Ｂに対応させれば良いが、実施例では、便座シート１の長手方向の中心線４を通る頂点６と便座シート１の長手方向の両端縁８との突出長さを６５ミリメートルとしている。  
【００２１】
便座シート１は、横が３８０ミリメートル、縦が５４０ミリメートルの長方形に形成されているが便座Ｂの側面を覆う大きさに形成されていても構わないものである。便座シート１は、水溶性の不織布のように水溶性の材質でできておれば、紙以外のものでも良いし、水溶性でなくても構わないものである。便座シート２１のコーナー部は邪魔にならないように必要に応じて切除されている。  
【００２２】
便座シート１を拡げる際に把持する前垂れ部３の自由端１１は、前垂れ部３よりも突出している方が把持し易いが、突出していなくても構わないものである。また、自由端１１は、便座シート１から突出するように便座シート１よりも厚く、硬い材質のもので別体に形成しても構わないとともに、色を付けることで把持する位置が解るようにしたり、切り起こしにより形成しても構わないものである。  
【００２３】
以下、本発明の第二実施例の形態を図６〜図１０に基づいて説明する。本発明の第一実施例
と同一の符号が付与されたものは、本発明の第一実施例と同一の構成であるため、説明を省略する。  
【００２４】
便座シート２１の便座載置部２２の前端縁２３は、台形形状に形成されている。便座載置部２２の前端縁２３は、便座シート２１の前端縁２３における台形形状の両頂点２４と対応する位置で便座シート２１の長手方向の両端縁２５と略平行に所定長さのスリット２６を形成し、前記両スリット２６の終端位置２７で便座シート２１の裏側に山折りするとともに、両スリット２６の終端位置２７を便座シート２１の長手方向の両端縁２５の最前方位置２８よりも前方に突出させて便座シート２１の裏側に山折りして傾斜線２９を有する台形形状に形成されている。便座シート２１のコーナー部は邪魔にならないように必要に応じて切除されている。  
【００２５】
便座載置部２２の台形形状の前端縁２３を形成する方法として、便座シート２１を所定位置で切断するとともに、所定位置で折る方法と、便座シート１所定位置で切断する方法とが考えられるが、実施例では、前者を採用することで前垂れ部３０を取り付ける取付部３１を形成している。  
【００２６】
便座載置部２２の台形形状の前端縁２３を形成する方法として、便座シート２１を所定位置で切断する方法を採用した場合は、前垂れ部３０は、便座載置部２２の台形形状の前端縁２３の近傍の上面又は下面に接着剤を用いて接着することになる。
【００２７】
前垂れ部３０は、図１０に示すように、便座載置部２２の前端縁２３に沿って取り付けられるものであり、便座シート２１の前端縁２３における台形形状の両頂点２４間に接合される第１の接合部３２と、台形形状の傾斜線２９部にそれぞれ接合される第２の接合部３３とを備えており、前垂れ部３０の第１の接合部３２の上端縁３４を便座シート２１の前端縁２３における台形形状の両頂点２４間に接合されるとともに、前垂れ部３０の第２の接合部３３の上端縁３４を台形形状の傾斜線２９部にそれぞれ接合させるには、図８及び図９に示すように、便座シート２１の前端縁２３における台形形状の両頂点２４位置において垂れ部３０に山折れ３５と谷折れ３６とを設けて、中心線に対して、前垂れ部３０の下端縁３７を前垂れ部３０の上端縁３４よりも短くする必要があり、山折れ３５と谷折れ３６とにより重複部３８が形成される。  
【００２８】
便座載置部２２の台形形状の高さは６５ミリメートルとしている。  
【００２９】
便座シート２１は、横が３８０ミリメートル、縦が５４０ミリメートルの長方形に形成されているが便座Ｂの側面を覆う大きさに形成されていても構わないものである。便座シート１は、水溶性の不織布のように水溶性の材質でできておれば、紙以外のものでも良いし、水溶性でなくても構わないものである。便座シート２１のコーナー部は邪魔にならないように必要に応じて切除されている。  
【００３０】
便座シート２１を拡げる際に把持する前垂れ部３０の自由端３９は、前垂れ部３０よりも突出している方が把持し易いが、突出していなくても構わないものである。また、自由端３９は、便座シート２１から突出するように便座シート２１よりも厚く、硬い材質のもので別体に形成しても構わないとともに、色を付けることで把持する位置が解るようにしたり、切り起こしにより形成しても構わないものである。  
【００３１】
尚、便座載置部２２の裏面に両面テープや粘着材を設けて、便座シート２１が動かないようにしたり、便座シート２１の折り目が肌に接することによる不快感を防止するようにしても構わない。
【００３２】
便座シート２１を使用するには、便座シート２１の便座載置部２２を便座シート２１の長手方向の中心線４で谷折りされた状態まで拡げ、便座シート２１に重ねられた前垂れ部３０の下端縁３７の自由端３９を把持して便座シート２１を拡げると、谷折りされた便座載置部２２は平面状となるとともに、前垂れ部３０は重複部３８を有しているので、その重複部３８は便座シート２１から前方に移動し、前垂れ部３０が便座載置部２２の裏側から離れるとともに拡がるので、便座Ｂに容易に被せることができるようになり、前垂れ部で便座の前部と便器の前突出部を覆うことができるのである。
【００３３】
便座載置部２２の先端が台形形状に形成されたものは、更に、便座の形状に合うようになっており、違和感が無いという効果を備えているものである。
【００３４】
図１１に示すように、便座シート１を便座シートの長手方向の中心線に対し、直交する線により、略中央で二つ折りすれば、前垂れ部の端縁を把持して便座シート１を拡げるだけで容易に便座シート１を便座に被せることができ、トイレ内の設置用として好ましい。
【符号の説明】
【００３５】
１、２１      便座シート    ２、２２      便座載置部    ３、３０      前垂れ部    ４            便座シートの長手方向の中心線    ５            切り込み部    ６、２４      便座シートの長手方向の中心線を通る頂点    ７、２５      便座シートの長手方向の両端縁    ８、２８      便座シートの長手方向の両端縁の最前方位置    ９、２３      前端縁 
【図１】
2014023816.tif 000003
【図２】
2014023816.tif 000004
【図３】
2014023816.tif 000005
【図４】
2014023816.tif 000006
【図５】
2014023816.tif 000007
【図６】
2014023816.tif 000008
【図７】
2014023816.tif 000009
【図８】
2014023816.tif 000010
【図９】
2014023816.tif 000011
【図１０】
2014023816.tif 000012
【図１１】
2014023816.tif 000013
【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
便座に載置されるシート状の便座載置部の前端に少なくとも便座の前部と便器の前突出部を覆う前垂れ部が設けられた便座シートであって、前記便座シートは、便座開口部と対面する位置に切り込み部を有するとともに、前記便座シートの長手方向の中心線を通る頂点を前記便座シートの長手方向の両端縁の最前方位置よりも前方に突出させて形成された前端縁を有する便座載置部と、前記前端縁に沿って取り付けられて便座載置部の裏面側に折り返した前垂れ部とよりなる便座シートであり、便座シートのＶ字形の前端縁の最も突出した位置で便座シートの長手方向の両端縁と略平行に所定長さのスリットを形成し、前記スリットの終端位置で便座シートの裏側に山折りするとともに、スリットの終端位置を前記便座シートの長手方向の両端縁の最前方位置よりも前方に突出させて便座シートの裏側に山折りしてＶ字形の前端縁に前垂れ部を取り付ける取付部を形成するか、便座シートの前端縁における台形形状の両頂点と対面する位置で便座シートの長手方向の両端縁と略平行に所定長さのスリットを形成し、前記両スリットの終端位置で便座シートの裏側に山折りするとともに、両スリットの終端位置を前記便座シートの長手方向の両端縁の最前方位置よりも前方に突出させて便座シートの裏側に山折りして台形形状の前端縁に前垂れ部を取り付ける取付部を形成したことを特徴とする便座シート。
【手続補正２】
【補正対象書類名】明細書
【補正対象項目名】０００８
【補正方法】変更
【補正の内容】
【０００８】
本発明は、便座に載置されるシート状の便座載置部の前端に少なくとも便座の前部と便器の前突出部を覆う前垂れ部が設けられた便座シートであって、前記便座シートは、便座開口部と対面する位置に切り込み部を有するとともに、前記便座シートの長手方向の中心線を通る頂点を前記便座シートの長手方向の両端縁の最前方位置よりも前方に突出させて形成された前端縁を有する便座載置部と、前記前端縁に沿って取り付けられて便座載置部の裏面側に折り返した前垂れ部とよりなる便座シートであり、便座シートのＶ字形の前端縁の最も突出した位置で便座シートの長手方向の両端縁と略平行に所定長さのスリットを形成し、前記スリットの終端位置で便座シートの裏側に山折りするとともに、スリットの終端位置を前記便座シートの長手方向の両端縁の最前方位置よりも前方に突出させて便座シートの裏側に山折りしてＶ字形の前端縁に前垂れ部を取り付ける取付部を形成するか、便座シートの前端縁における台形形状の両頂点と対面する位置で便座シートの長手方向の両端縁と略平行に所定長さのスリットを形成し、前記両スリットの終端位置で便座シートの裏側に山折りするとともに、両スリットの終端位置を前記便座シートの長手方向の両端縁の最前方位置よりも前方に突出させて便座シートの裏側に山折りして台形形状の前端縁に前垂れ部を取り付ける取付部を形成し、上記課題を解決したものである。
【手続補正３】
【補正対象書類名】明細書
【補正対象項目名】０００９
【補正方法】変更
【補正の内容】
【０００９】
本発明の便座シートは、便座に載置されるシート状の便座載置部の前端に少なくとも便座の前部と便器の前突出部を覆う前垂れ部が設けられた便座シートであって、前記便座シートは、便座開口部と対面する位置に切り込み部を有するとともに、前記便座シートの長手方向の中心線を通る頂点を前記便座シートの長手方向の両端縁の最前方位置よりも前方に突出させて形成された前端縁を有する便座載置部と、前記前端縁に沿って取り付けられて便座載置部の裏面側に折り返した前垂れ部とよりなる便座シートであり、便座シートのＶ字形の前端縁の最も突出した位置で便座シートの長手方向の両端縁と略平行に所定長さのスリットを形成し、前記スリットの終端位置で便座シートの裏側に山折りするとともに、スリットの終端位置を前記便座シートの長手方向の両端縁の最前方位置よりも前方に突出させて便座シートの裏側に山折りしてＶ字形の前端縁に前垂れ部を取り付ける取付部を形成するか、便座シートの前端縁における台形形状の両頂点と対面する位置で便座シートの長手方向の両端縁と略平行に所定長さのスリットを形成し、前記両スリットの終端位置で便座シートの裏側に山折りするとともに、両スリットの終端位置を前記便座シートの長手方向の両端縁の最前方位置よりも前方に突出させて便座シートの裏側に山折りして台形形状の前端縁に前垂れ部を取り付ける取付部を形成したことを特徴とするものであるから、使用時、衣服が便器に触れず不快感が無いとともに、紙の歩留まりも良いという効果があり、更に、便座載置部の裏面側に折り返した前垂れ部の自由端を把持して便座シートを拡げることにより、便座載置部の裏面側に折り返えされた前垂れ部が便座載置部から離れるとともに拡がるので、便座に容易に被せることができるという効果がある。更に、シート状の便座載置部の前端縁に前垂れ部を取り付けるという簡単な工程で便座シートができ、製造が簡単であるという効果がある。